(57)【要約】【課題】  パネル取り付けの施工性がよく、且つ簡単な構成でパネルの落下を防止可能な戸を提供すること。【解決手段】  上枠２ａは、上部ランナー１３ａを介して上部レール１１ａに支持されている。ランナー本体１６には、ボルト１８の上端が固定され、そのボルト１８にはナイロンナットを介してナットケース１９が取着されている。ナットケース１９の上部には、ランナーベース２６が被覆されており、該ランナーベース２６はナットケース１９にて支持されている。ランナーベース２６は、該ランナーベース２６に一体に形成された係合凸部２６ｄ，２６ｅが上枠２ａの側辺２１，２２に形成された係合溝２４，２５に差し込まれた状態でビス２７を介して上枠２ａと連結されている。【選択図】      図２
2005163450.tif 000002
【特許請求の範囲】
【請求項１】
上部レールに沿って移動可能に支持された上部ランナーから支持部材を吊下支持し、前記支持部材とパネルの上枠に形成された係合手段に基づいて該パネルを吊下支持した戸において、
前記係合手段は、
前記上枠の内周面に形成された係合溝と、
前記支持部材に支持され、前記上枠内で回動させることにより、前記係合溝に係合するランナーベースと、
前記ランナーベースを前記係合溝に係合させた状態で、該ランナーベースの回動を阻止する位置決め手段と
を備えたことを特徴とする戸。
【請求項２】
前記ランナーベースは、その両端部に前記係合溝に係合する係合凸部を備え、前記係合凸部は前記ランナーベースの回動中心に対し点対称状に形成したことを特徴とする請求項１に記載の戸。
【請求項３】
前記係合凸部は、前記係合溝に係合するとき、先端縁が係合溝の底面に対し平行となる形状としたことを特徴とする請求項１又は２に記載の戸。
【請求項４】
前記ランナーベースは回動中心が幅広に形成されており、その幅を前記上枠を構成する両側辺の距離と等しく設定したことを特徴とする請求項１〜３の何れか一項に記載の戸。
【請求項５】
前記上枠は、前記支持部材と同径に形成され、該支持部材が貫挿される孔を備えていることを特徴とする請求項１〜４の何れか一項に記載の戸。
【請求項６】
前記支持部材は、
ボルトと、
前記ボルトと螺合され、前記ボルトと相対回転されることにより、該ボルトの軸線方向に移動するナイロンナットと、
前記ナイロンナットに一体に組み付けられるナットケースと
前記ナットケースにて相対回転不能に支持される前記ランナーベースと
を備えたことを特徴とする請求項１〜５の何れか一項に記載の戸。
【請求項７】
前記ランナーベースは、前記ナットケースの外形より小さく形成された係合凹部を備えていることを特徴とする請求項６に記載の戸。
【発明の詳細な説明】
【技術分野】
【０００１】
本発明は、パネルを上部レールと下部レールとの間で移動可能に支持して、上部レール及び下部レールに沿って移動可能とした戸に関するものである。
【背景技術】
【０００２】
従来、クローゼット等の扉あるいは室内空間を適宜に区画する間仕切りとして使用される折引戸は、複数枚のパネルが下部レールと上部レールとの間で移動可能に支持され、且つ各パネルが蝶番を介して回動可能に連結されている。
【０００３】
各パネルは、その幅方向中央部に下部スライダー（ランナー）及び上部スライダー（ランナー）が設けられ、両スライダーで下部レール及び上部レールに沿って移動可能に、かつ回動可能に支持されている。
【０００４】
パネルを組み立てる際には、各パネルに上部レールに沿って移動する上部ランナーを取着する必要があり、各パネルと両スライダーとの取着態様には特許文献１〜３に示すように様々なものが開示されている。
【特許文献１】実開昭５８−１１５６６号公報
【特許文献２】実開昭５８−１７４５８１号公報
【特許文献３】実公昭５６−５００６２号公報
【発明の開示】
【発明が解決しようとする課題】
【０００５】
ところが、特許文献１に記載の発明では、各パネルを連結体に吊下支持させるためには締着板を横桟の端部から挿入する必要があり、組み付け作業が面倒であるという問題点があった。
【０００６】
また、特許文献２に記載の発明においては、固定具の支持部とレールとを相対回転させることで該固定具の支持部とレールとが係合されているが、再び固定具と支持部とが相対回転されることで、両者の係合状態が解除されてしまう虞があった。
【０００７】
また、特許文献３に記載の発明においては、パネル取付ブロックと間仕切りパネルとを係合するために、間仕切りパネルに切り欠きを形成しなければならず、該間仕切りパネルの外観を損なう虞があった。
【０００８】
本発明は上記問題点を解決するためになされたものであって、その目的は、上部ランナーをパネルに容易に取着することができ、且つ簡単な構成でパネルの落下を防止可能な戸を提供することにある。
【課題を解決するための手段】
【０００９】
上記目的を達成するため、請求項１に記載の発明は、上部レールに沿って移動可能に支持された上部ランナーから支持部材を吊下支持し、前記支持部材とパネルの上枠に形成された係合手段に基づいて該パネルを吊下支持した戸において、前記係合手段は、前記上枠の内周面に形成された係合溝と、前記支持部材に支持され、前記上枠内で回動させることにより、前記係合溝に係合するランナーベースと、前記ランナーベースを前記係合溝に係合させた状態で、該ランナーベースの回動を阻止する位置決め手段とを備えた。
【００１０】
請求項２に記載の発明は、請求項１に記載の発明において、前記ランナーベースは、その両端部に前記係合溝に係合する係合凸部を備え、前記係合凸部は前記ランナーベースの回動中心に対し点対称状に形成した。
【００１１】
請求項３に記載の発明は、請求項１又は２に記載の発明において、前記係合凸部は、前記係合溝に係合するとき、先端縁が係合溝の底面に対し平行となる形状とした。
請求項４に記載の発明は、請求項１〜３の何れか一項に記載の発明において、前記ランナーベースは回動中心が幅広に形成されており、その幅を前記上枠を構成する両側辺の距離と等しく設定した。
【００１２】
請求項５に記載の発明は、請求項１〜４の何れか一項に記載の発明において、前記上枠は、前記支持部材と同径に形成され、該支持部材が貫挿される孔を備えている。
請求項６に記載の発明は、請求項１〜５の何れか一項に記載の発明において、前記支持部材は、ボルトと、前記ボルトと螺合され、前記ボルトと相対回転されることにより、該ボルトの軸線方向に移動するナイロンナットと、前記ナイロンナットに一体に組み付けられるナットケースと前記ナットケースにて相対回転不能に支持される前記ランナーベースとを備えた。
【００１３】
請求項７に記載の発明は、請求項６に記載の発明において、前記ランナーベースは、前記ナットケースの外形より小さく形成された係合凹部を備えている。
【発明の効果】
【００１４】
本発明によれば、パネル取り付けの施工性がよく、且つパネルの落下を防止可能な戸を提供することができる。
【発明を実施するための最良の形態】
【００１５】
以下、本発明を具体化した第一の実施の形態を図１〜図７に従って説明する。
図１に示す折引戸は、パネル１ａ〜１ｄが天井面に設けられる上部レール１１ａ，１１ｂと（図２参照）、該上部レールに対応して床面に設けられる下部レール１２ａ，１２ｂに沿って引き違い操作可能に支持される。
【００１６】
すなわち、パネル１ａ，１ｂは、その上縁部に取着された上枠２ａ，２ｂの前後方向（図１において左右方向）中央部が上部ランナー１３ａ，１３ｂを介して上部レール１１ａに支持され、下縁部に取着された下枠３ａ，３ｂの前後方向中央部が下部ランナー１４ａ，１４ｂを介して下部レール１２ａに支持されている。
【００１７】
同様に、パネル１ｃ，１ｄは、その上縁部に取着された上枠２ｃ，２ｄの前後方向中央部が上部ランナー１３ｃ，１３ｄを介して上部レール１１ｂに支持され、下縁部に取着された下枠３ｃ，３ｄの前後方向中央部が下部ランナー１４ｃ，１４ｄを介して下部レール１２ｂに支持されている。
【００１８】
前記各パネル１ａ〜１ｄでは、上部ランナー１３ａ〜１３ｄは下部ランナー１４ａ〜１４ｄより大きな荷重を支持するように設定される。
前記パネル１ａ，１ｂは、蝶番部１５ａを介して回動可能に連結され、前記パネル１ｃ，１ｄは、蝶番部１５ｂを介して回動可能に連結されている。従って、パネル１ａ，１ｂ及び同１ｃ，１ｄを互いに回動させると、同パネル１ａ〜１ｄを上部レール１１ａ，１１ｂの一側に畳み込み可能となっている。
【００１９】
次に、前記上部ランナー１３ａ〜１３ｄの構成を説明する。前記上部ランナー１３ａ〜１３ｄは同一構成であるので、上部ランナー１３ａについてその構成を説明する。
図２、図３（ａ）及び図３（ｂ）に示すように、上部ランナー１３ａのランナー本体１６には４個の車輪１７が回転可能に支持され、その車輪１７が上部レール１１ａ内をほぼ上下動不能な状態で転動するようになっている。
【００２０】
前記ランナー本体１６には、支持部材としてのボルト１８の上端が支持されている。ボルト１８の上端近傍位置には調整部材１８ａが突出形成されている。調整部材１８ａは、平面六角形状に形成されており、該調整部材１８ａを回転させることで、ボルト１８をランナー本体１６に対して相対回転可能とされている。
【００２１】
図４（ａ）〜（ｃ）に示すように、支持部材としてのナットケース１９は合成樹脂にて略円筒形状に形成されており、収容部１９ａ、位置決め凸部１９ｂ及び大径部１９ｃなどを備えている。収容部１９ａは、内面が支持部材としてのナイロンナット２０の外形に合わせて形成されており、ナイロンナット２０を相対回転不能に、上下方向に移動不能に、且つ外部から回転操作不能に収容可能とされている。
【００２２】
位置決め凸部１９ｂは、収容部１９ａの上部に円筒形状に突出形成されており、大径部１９ｃは、収容部１９ａの下部に形成されている。このように形成されたナットケース１９には、ナイロンナット２０が収容され、そのナイロンナット２０に前記ボルト１８が螺合されている。このように組み付けられたナットケース１９及びナイロンナット２０は、ボルト１８が回転されることで該ボルト１８に対して相対回転される。そして、ナットケース１９及びナイロンナット２０は、ボルト１８と相対回転を行うことでボルト１８に対し上下動するようになっている。
【００２３】
図５に示すように、上枠２ａは押し出し形材で形成され、側辺２１，２２と、該側辺２１，２２間を連結する連結辺２３とを備えている。連結辺２３には両側辺２１，２２間の略中央位置に前記ナットケース１９が貫挿されるナットケース孔２３ａ及び該ナットケース孔２３ａの両側にビス孔２３ｂ，２３ｃが形成されている。ナットケース孔２３ａは、前記ナットケース１９の大径部１９ｃと同径に形成されている。ナットケース孔２３ａ及び両ビス孔２３ｂ，２３ｃは、側辺２１，２２の中央に設けられている。
【００２４】
側辺２１，２２は、連結辺２３の上方で互いに向かい合うように突出する第二の係合手段としての突起部２１ａ，２２ａを備えている。突起部２１ａ，２２ａは、連結辺２３と平行に両側辺２１，２２の全長に亘って形成されている。
【００２５】
このように形成された上枠２ａには、内周面、具体的には突起部２１ａ，２２ａと連結辺２３との間に、互いに向かい合う係合手段としての係合溝２４，２５が形成されている。
【００２６】
前記上枠２ａは、支持部材及び係合手段としてのランナーベース２６を介して上部ランナー１３ａに吊下支持されている。
図６（ａ）に示すように、ランナーベース２６は金属よりなる長板状の基板３０から構成されている。詳しくは、ランナーベース２６は、基板３０を屈曲することで形成されており、図６（ａ）は、屈曲される前のランナーベース２６を基板３０として表したものである。
【００２７】
基板３０の長手方向中央部には前記ボルト１８が貫通される貫通孔２６ａが形成されている。基板３０は貫通孔２６ａの周辺がやや幅広に形成されており、その幅は前記側辺２１，２２の内側と略等しく設定されている。また、基板３０は、貫通孔２６ａの近傍の外縁が凸曲面状に形成されている。基板３０の両端部にはそれぞれ位置決め孔２６ｂ，２６ｃが形成されている。貫通孔２６ａ及び両位置決め孔２６ｂ，２６ｃの位置は、前記連結辺２３に形成されたナットケース孔２３ａ及びビス孔２３ｂ，２３ｃの位置に対応して形成されており、その中心が同一直線上に位置するように配設されている。
【００２８】
前記基板３０は、両端部の幅が長さＹ１に設定されている。長さＹ１は、前記突起部２１ａ，２２ａの先端間の距離Ｙ２（図５参照）よりも短くなるように形成されている。前記基板３０の両端部には、幅方向に突出する第一の係合手段としての係合凸部２６ｄ，２６ｅがそれぞれ形成されている。前記係合凸部２６ｄ，２６ｅは、それぞれ反対方向に突出され、前記貫通孔２６ａに対し点対称状に形成されている。係合凸部２６ｄ，２６ｅの先端縁と前記位置決め孔２６ｂ，２６ｃの中心との距離Ｘは、前記ビス孔２３ｂ，２３ｃと係合溝２４，２５の底面との距離と等しくなるように形成されている。
【００２９】
両係合凸部２６ｄ，２６ｅの先端縁は、貫通孔２６ａ及び位置決め孔２６ｂ，２６ｃの中心を結ぶ直線と平行になるように設定されている。
このように形成された基板３０をクランク状に屈曲することにより、係合凹部２６ｆが形成され、図６（ｂ）及び図６（ｃ）に示すランナーベース２６が形成されている。係合凹部２６ｆは、前記ナットケース１９の収容部１９ａの外形よりもやや小さく形成されている。
【００３０】
図３（ｂ）に示すように、ボルト１８に支持されたナットケース１９にはランナーベース２６が支持されている。ランナーベース２６は、ナットケース１９の上方において、貫通孔２６ａに位置決め凸部１９ｂが挿入されており、該位置決め凸部１９ｂを介して前記ボルト１８が挿通されている。
【００３１】
そして、係合凸部２６ｄ，２６ｅがそれぞれ係合溝２４，２５に係合した状態で位置決め孔２６ｂ，２６ｃからビス孔２３ｂ，２３ｃに係合手段及び位置決め手段としてのビス２７，２８が螺入されて、ランナーベース２６の上枠２ａに対する回動が阻止されている。
【００３２】
この状態では、ナットケース１９にてランナーベース２６が支持され、そのランナーベース２６に上枠２ａが支持される。従って、パネル１ａが上部ランナー１３ａから吊下支持される。尚、調整部材１８ａを回転させてボルト１８とナットケース１９、ナイロンナット２０及びランナーベース２６とを相対回転させることにより、パネル１ａの吊下げ高さを調節可能である。
【００３３】
次に、上記のように構成された上部ランナーのパネルへの取付手順を説明する。
先ず、図７（ａ）に示すように、ランナーベース２６の係合凸部２６ｄ，２６ｅを上枠２ａの突起部２１ａ，２２ａに当たらないように上枠２ａ内に挿入し、ナットケース１９を連結辺２３に形成されたナットケース孔２３ａに挿入する。
【００３４】
次いで、ランナーベース２６を回転させて、図２及び図７（ｂ）に示すように、両係合溝２４，２５内に係合凸部２６ｄ，２６ｅを係合させる。尚、この状態において、ランナーベース２６の位置決め孔２６ｂ，２６ｃは、連結辺２３のビス孔２３ｂ，２３ｃとそれぞれ連通されている。また、両係合凸部２６ｄ，２６ｅの先端縁は、貫通孔２６ａ及び位置決め孔２６ｂ，２６ｃの中心を結ぶ直線と平行になるように設定されているため、両係合凸部２６ｄ，２６ｅの先端縁は係合溝２４，２５の底面にその全長に亘って当接する。
【００３５】
そして、上方からビス２７，２８を位置決め孔２６ｂ，２６ｃ及びビス孔２３ｂ，２３ｃに螺入すると、ランナーベース２６と上枠２ａとが一体に組み付けられ、最後にパネル１ａが上部レール１１ａに吊下支持される。
【００３６】
上記のように構成された折引戸では、次に示す作用効果を得ることができる。
（１）パネルを上部レール１１ａに沿って移動可能に支持することができる。
（２）通常時において、ランナーベース２６は係合凸部２６ｄ，２６ｅと係合溝２４，２５との係合により確実に上枠２ａ及びパネル１ａを吊下支持することができる。
【００３７】
（３）ランナーベース２６には、係合凸部２６ｄ，２６ｅが係合溝２４，２５に係合された状態でビス２７，２８が螺入されている。従って、ビス２７或いはビス２８が緩んでも、ランナーベース２６の回動を阻止して係合凸部２６ｄ，２６ｅと突起部２１ａ，２２ａとの係合状態を維持することができ、パネル１ａの落下を防止することができる。
【００３８】
（４）係合凸部２６ｄ，２６ｅはランナーベース２６と上枠２ａとを相対回転させるだけで簡単に係合溝２４，２５内に係合することができる。従って、容易にパネル１ａの落下防止を行うことができる。
【００３９】
（５）上枠２ａは下方から上部ランナー１３ａに組み付けることができる。従って、上部ランナー１３ａを上枠２ａの端部から組み付ける必要がなく、上部ランナー１３ａと上枠２ａとを容易に組み付けることができる。また、上枠２ａから上部ランナー１３ａを取り外す際にも、該上部ランナー１３ａを上枠２ａの端部まで移動させることなく容易に取り外すことができる。
【００４０】
（６）ランナーベース２６の係合凸部２６ｄ，２６ｅと係合する突起部２１ａ，２２ａは、互いに内側に向かい合って突出形成されており、上枠２ａの外観に上枠２ａを吊下支持するための機構が現れることがない。従って、上枠２ａの外観を損なうことなくランナーベース２６に上枠２ａを吊下支持することができる。
【００４１】
（７）両係合凸部２６ｄ，２６ｅは、係合溝２４，２５との係合状態において、その先端縁が全長に亘って係合溝２４，２５の底面に当接する。従って、係合凸部２６ｄ，２６ｅと突起部２１ａ，２２ａとの重なりを大きくすることができ、ランナーベース２６にて確実にパネル１ａの落下を防ぐことができる。
【００４２】
（８）前記係合凸部２６ｄ，２６ｅは、貫通孔２６ａに対し点対称状に形成されている。従って、ランナーベース２６を上枠２ａに対して相対回転させることで、両係合凸部２６ｄ，２６ｅを同時に係合溝２４，２５に係合させることができる。従って、上枠２ａを容易にランナーベース２６に吊下支持することができる。
【００４３】
（９）前記係合凹部２６ｆは、前記ナットケース１９の収容部１９ａの外形よりもやや小さく形成されているため、係合凹部２６ｆは収容部１９ａを挟持可能となる。従って、ナットケース１９と係合凹部２６ｆとを仮止めした状態でナットケース１９をナットケース孔２３ａに挿入することができ、組み付け作業を容易に行うことができる。
【００４４】
（１０）ランナーベース２６の貫通孔２６ａには合成樹脂にて形成された位置決め凸部１９ｂを介してボルト１８が挿通されている。従って、金属板にて構成されたランナーベース２６とボルト１８とが直接当接することがなく、金属同士がこすれ合うことによるきしみ音の発生を防止することができる。
【００４５】
（１１）ランナーベース２６は、貫通孔２６ａの周辺が幅広に形成されており、該幅は両側辺２１，２２の間隔と略等しく設定されている。従って、ランナーベース２６と両側辺２１，２２とのガタ付きを抑制することができる。また、ランナーベース２６の回動中心の強度を高くすることができる。
【００４６】
（１２）ランナーベース２６は、貫通孔２６ａの近傍の外縁が凸曲面状に形成されているため、ランナーベース２６を上枠２ａに対して相対回転させる際に両側辺２１，２２に引っ掛かることなく円滑に回転させることができる。
【００４７】
（１３）ナットケース孔２３ａは、前記ナットケース１９の大径部１９ｃと同径に形成されている。従って、ナットケース１９と上枠２ａとのガタ付きを抑制することができる。
【００４８】
（１４）ナットケース１９、ナイロンナット２０及びランナーベース２６は、ボルト１８に対して相対回転されることで、ボルト１８に対し上下動するようになっている。従って、ボルト１８を回転させることで容易にパネル１ａ吊下げ高さを調節することができる。
【００４９】
上記実施の形態は、以下の態様で実施してもよい。
・上記実施の形態においては、位置決め手段としてランナーベース２６及び上枠２ａを貫通するビス２７，２８が用いられていた。しかし、位置決め手段は、ランナーベース２６と上枠２ａとの相対回転を防止し、係合凸部２６ｄ，２６ｅと係合溝２４，２５との係合状態を維持できるものであればよく、例えばビス２７，２８の代わりにピンやリベットなどを用いてもよい。
【００５０】
上記各実施の形態から把握できる技術的思想を以下に記載する。
（イ）前記位置決め手段は、前記上枠に形成されたビス孔と、前記ビス孔に対応して形成された位置決め孔と、前記ビス孔と前記位置決め孔とを連通させた状態で両孔に螺入されるビスにて構成されていることを特徴とする請求項１〜７の何れか一項に記載の戸。この構成により位置決め手段の脱落が抑制される。
【図面の簡単な説明】
【００５１】
【図１】折引戸の概観図。
【図２】ランナー及びパネルの断面図。
【図３】（ａ）、（ｂ）は、ランナーの説明図。
【図４】（ａ）〜（ｃ）は、ナットケースの説明図。
【図５】パネルの斜視図。
【図６】（ａ）〜（ｃ）は、ランナーベースの説明図。
【図７】（ａ）、（ｂ）は、ランナーベースとパネルとの取り付け作用を示す説明図。
【符号の説明】
【００５２】
１ａ〜１ｄ…パネル
２ａ〜２ｄ…上枠
１１ａ，１１ｂ…上部レール
１３ａ〜１３ｄ…上部ランナー
１８…支持部材としてのボルト
１９…支持部材としてのナットケース
２０…支持部材としてのナイロンナット
２１，２２…側辺
２３ａ…ナットケース孔
２４，２５…係合手段としての係合溝
２６…支持部材及び係合手段としてのランナーベース
２６ｆ…係合凹部
２７，２８…係合手段及び位置決め手段としてのビス
【図１】
2005163450.tif 000003
【図２】
2005163450.tif 000004
【図３】
2005163450.tif 000005
【図４】
2005163450.tif 000006
【図５】
2005163450.tif 000007
【図６】
2005163450.tif 000008
【図７】
2005163450.tif 000009